(57)【要約】【課題】接地短絡器具の取外しを忘れることを抑制する。【解決手段】接地短絡器具は、短絡器具１０と接地線と点灯部とを有する。短絡器具１０は、フック部６４とジョー部７２と第１接点部８０と第２接点部９０とを有する。フック部６４は、導電性の鉤状部材であり、接地線に電気的に接続される。ジョー部７２は、内周部６４Ａと対向して設けられ、内周部６４Ａに向かって移動可能である。第１接点部８０は、ジョー部７２と内周部６４Ａとの間に設けられる。第２接点部９０はジョー部７２と第１接点部８０との間に設けられ、ジョー部７２との間に配電線が配置可能な空間を形成し、第１接点部８０に向かう方向に所定荷重値以上の荷重を受けると、第１接点部８０側に変形して第１接点部８０に接触し、荷重が解除されると、第１接点部８０との接触が解除される。点灯部は、第１接点部８０と第２接点部９０とが接触した際に点灯する。【選択図】図２
2017184403.tif 000002
【特許請求の範囲】
【請求項１】
短絡器具と接地線と点灯部とを有する接地短絡器具であって、
前記短絡器具は、
導電性の鉤状部材であり、前記接地線に電気的に接続されるフック部と、
前記フック部の内周側の面である内周部と対向して設けられ、前記内周部に向かって移動可能なジョー部と、
前記ジョー部と前記内周部との間に設けられる第１接点部と、
前記ジョー部と前記第１接点部との間に設けられ、前記ジョー部との間に配電線が配置可能な空間を形成し、前記第１接点部に向かう方向に所定荷重値以上の荷重を受けると、前記第１接点部側に変形して前記第１接点部に接触し、前記所定荷重値以上の荷重が解除されると、前記第１接点部との接触が解除される第２接点部と、を有し、
前記点灯部は、前記第１接点部と前記第２接点部とが接触した際に点灯する、接地短絡器具。
【請求項２】
前記配電線が前記フック部に取付けられている状態であることを示す情報を表示する表示旗を更に有し、
前記点灯部は、前記表示旗に複数取付けられる、請求項１に記載の接地短絡器具。
【請求項３】
前記短絡器具の前記フック部を前記接地線に電気的に接続する短絡線と、
前記フック部及び前記ジョー部を有し、前記第１接点部及び前記第２接点部を有さない副短絡器具と、
前記副短絡器具の前記フック部を前記接地線に電気的に接続する副短絡線と、を有する、請求項１又は請求項２に記載の接地短絡器具。
【請求項４】
前記短絡器具は、前記副短絡器具の前記フック部と前記ジョー部とで挟持されることで、前記副短絡器具を支持する副短絡器具支持部を有する、請求項３に記載の接地短絡器具。
【請求項５】
請求項１から請求項４のいずれか１項に記載の接地短絡器具を、前記配電線に取付ける接地短絡器具の取付方法であって、
前記配電線に、前記第２接点部の前記１接点部と反対側の面から、前記フック部の内周部を引っ掛ける取付ステップと、
前記ジョー部を前記内周部に向かって移動させて前記配電線を前記フック部と前記ジョー部とで挟持して、前記接地短絡器具を前記配電線に固定する固定ステップと、を有する、接地短絡器具の取付方法。
【発明の詳細な説明】
【技術分野】
【０００１】
本発明は、接地短絡器具及び接地短絡器具の取付方法に関する。
【背景技術】
【０００２】
電気設備における停電作業を行う場合には、架空電線に対して接地短絡器具を取り付け、接地短絡器具を介して、地面に埋設された接地端子に架空電線を接続する。これにより、例えば停電作業中に誤通電などが起きて、架空電線に電流が流れた際も、電流が短絡、アースされることで、停電作業中の作業者の感電を防止している。例えば、特許文献１には、三相交流配電線に対する接地短絡器具が記載されている。
【先行技術文献】
【特許文献】
【０００３】
【特許文献１】特開２０１５−１６５７４９号公報
【０００４】
この接地短絡器具は、停電作業の終了後は、確実に取り外される必要がある。接地短絡器具の取外しが行われなかった場合、停電作業が完了しても、停電作業が行われていた箇所に電流が流れず、誤停電を招くおそれがある。
【０００５】
そのため、接地短絡器具を架空電線に取付けた際には、電線が短絡、接地されていることを表示した表示旗が、接地短絡器具に取付けられる。作業者は、この表示旗を確認することで、架空電線に接地短絡器具が取り付けられていることを認識し、作業終了後の接地短絡器具の取外し忘れが抑制される。
【発明の概要】
【発明が解決しようとする課題】
【０００６】
しかし、停電作業は、夜間に行われることが一般的になってきている。停電作業が夜間に行われた場合、周辺が暗いため、作業者は、表示旗を視認できず、作業終了後の接地短絡器具の取外しを忘れるおそれが生じる。
【０００７】
本発明は、上記課題を解決するために、接地短絡器具の取外しを忘れることを抑制する接地短絡器具、及び接地短絡器具の取付方法を提供することを目的とする。
【課題を解決するための手段】
【０００８】
上述した課題を解決し、目的を達成するために、本開示の接地短絡器具は、短絡器具と接地線と点灯部とを有する接地短絡器具であって、前記短絡器具は、導電性の鉤状部材であり、前記接地線に電気的に接続されるフック部と、前記フック部の内周側の面である内周部と対向して設けられ、前記内周部に向かって移動可能なジョー部と、前記ジョー部と前記内周部との間に設けられる第１接点部と、前記ジョー部と前記第１接点部との間に設けられ、前記ジョー部との間に配電線が配置可能な空間を形成し、前記第１接点部に向かう方向に所定荷重値以上の荷重を受けると、前記第１接点部側に変形して前記第１接点部に接触し、前記所定荷重値以上の荷重が解除されると、前記第１接点部との接触が解除される第２接点部と、を有し、前記点灯部は、前記第１接点部と前記第２接点部とが接触した際に点灯する。
【０００９】
前記接地短絡器具は、前記配電線が前記フック部に取付けられている状態であることを示す情報を表示する表示旗を更に有し、前記点灯部は、前記表示旗に複数取り付けられることが好ましい。
【００１０】
前記接地短絡器具は、前記短絡器具の前記フック部を前記接地線に電気的に接続する短絡線と、前記フック部及び前記ジョー部を有し、前記第１接点部及び前記第２接点部を有さない副短絡器具と、前記副短絡器具の前記フック部を前記接地線に電気的に接続する副短絡線と、を有することが好ましい。
【００１１】
前記接地短絡器具において、前記短絡器具は、前記副短絡器具の前記フック部と前記ジョー部とで挟持されることで、前記副短絡器具を支持する副短絡器具支持部を有することが好ましい。
【００１２】
上述した課題を解決し、目的を達成するために、本開示の接地短絡器具の取付方法は、前記接地短絡器具を、前記配電線に取付ける接地短絡器具の取付方法であって、前記配電線に、前記第２接点部の前記１接点部と反対側の面から、前記フック部の内周部を引っ掛ける取付ステップと、前記ジョー部を前記内周部に向かって移動させて前記配電線を前記フック部と前記ジョー部とで挟持して、前記接地短絡器具を前記配電線に固定する固定ステップと、を有する。
【発明の効果】
【００１３】
本発明によれば、接地短絡器具の取外しを忘れることを抑制することができる。
【図面の簡単な説明】
【００１４】
【図１】図１は、本実施形態に係る接地短絡器具を模式的に示す図である。
【図２】図２は、本実施形態に係る短絡器具を示す模式図である。
【図３】図３は、本実施形態に係る副短絡器具を示す模式図である。
【図４】図４は、接地短絡器具を架空電線に取付けている状態を示す模式図である。
【図５】図５は、接地短絡器具を架空電線に取付けている状態を示す模式図である。
【図６】図６は、接地短絡器具を架空電線に取付けている状態を示す模式図である。
【図７】図７は、接地短絡器具の架空電線への取付けフローを説明するフローチャートである。
【図８】図８は、接地短絡器具の架空電線からの取外しフローを説明するフローチャートである。
【発明を実施するための形態】
【００１５】
以下に添付図面を参照して、本発明の好適な実施形態を詳細に説明する。なお、この実施形態により本発明が限定されるものではなく、また、実施形態が複数ある場合には、各実施形態を組み合わせて構成するものも含むものである。
【００１６】
図１は、本実施形態に係る接地短絡器具を模式的に示す図である。図１に示すように、本実施形態に係る接地短絡器具１は、短絡器具１０と、短絡線１２と、副短絡器具２０、３０と、副短絡線２２、３２と、接地線４０と、接続部４１と、接地器具４２と、表示旗５０と、電源部５４と、点灯部５６とを有する。接地短絡器具１は、短絡器具１０及び副短絡器具２０、３０を架空電線（配電線）に接続し、接地器具４２を接地された接地導体に接続することで、架空電線を接地する器具である。
【００１７】
図２は、本実施形態に係る短絡器具を示す模式図である。図２に示すように、短絡器具１０は、鉤部６０と可動部７０とを有する。鉤部６０は、導電性の部材であり、短絡線１２を介して、接地線４０と電気的に接続される。鉤部６０は、側部６２と、フック部６４と、底部６６と、副短絡器具支持部６７と、接続端子６８と、第１接点部８０と、第２接点部９０とを有する。
【００１８】
側部６２は、方向Ｘに沿って延在する部材である。フック部６４は、側部６２の方向Ｘに沿った一方の端部に設けられる鉤状の部材である。フック部６４は、円弧形状であり、側部６２側の末端部６５Ａから、先端部６５Ｂまで延在する。先端部６５Ｂは、末端部６５Ａよりも、方向Ｘと直交する方向Ｙ側に突出している。フック部６４は、内周側の面、すなわち、その円弧の中心軸側の面である内周部６４Ａが、架空電線に引っ掛けられる。フック部６４が架空電線に引っ掛けられた際は、方向Ｘが鉛直方向となる。
【００１９】
底部６６は、側部６２の方向Ｘに沿った他方の端部、すなわちフック部６４と反対側の端部に設けられている。底部６６は、側部６２側の端部から、方向Ｙに沿って延在している。底部６６は、方向Ｘに沿って、フック部６４の内周部６４Ａと対向している。底部６６は、方向Ｘに沿って、内周がめねじとなっている開口部６６Ａが貫通している。
【００２０】
副短絡器具支持部６７は、側部６２の方向Ｘに沿った他方の端部であって、底部６６よりも方向Ｘに沿った下方、すなわち底部６６よりも、フック部６４から遠い位置に設けられている。副短絡器具支持部６７は、方向Ｘ及び方向Ｙに直交する方向Ｚに沿って延在する軸状部材である。副短絡器具支持部６７は、側部６２の方向Ｚに沿った両面にそれぞれ設けられている。副短絡器具支持部６７は、フック部６４よりも方向Ｘに沿った下方に設けられ、副短絡器具２０、３０を支持する部材であるということができる。
【００２１】
接続端子６８は、側部６２に設けられている。具体的には、接続端子６８は、側部６２において、フック部６４が設けられている箇所から方向Ｙに沿った反対側に設けられている。接続端子６８は、導電線である短絡線１２を、側部６２に対して固定する。接続端子６８は、鉤部６０（フック部６４）と短絡線１２とを電気的に接続する。
【００２２】
第１接点部８０は、フック部６４の内周部６４Ａに沿って設けられる板状の導電性部材である。第１接点部８０は、内周部６４Ａに接触して設けられており、内周部６４Ａに沿って、円弧状に湾曲している。第１接点部８０は、導電線８２に接続されている。
【００２３】
第２接点部９０は、第１接点部８０と底部６６の間に、内周部６４Ａに沿って設けられる板状の導電性部材である。第２接点部９０は、方向Ｙに沿った一方の端部９０Ａから他方の端部９０Ｂまで、内周部６４Ａに沿って、円弧状に湾曲して延在している。第２接点部９０は、一方の端部９０Ａが、フック部６４の先端部６５Ｂに固定されている。第２接点部９０は、他方の端部９０Ｂが、第１接点部８０と底部６６の間に位置しており、いずれの箇所にも固定されておらず開放されている。第２接点部９０は、内周部６４Ａ及び第１接点部８０からは離間して設けられている。第２接点部９０は、導電線９２に接続されている。
【００２４】
第２接点部９０は、荷重を受けていない場合、第１接点部８０からは離間している。しかし、第２接点部９０は、第１接点部８０に向かう方向、すなわち方向Ｘに所定荷重値以上の力を受けると、第１接点部８０側に弾性変形して、第１接点部８０と接触する。そして、第２接点部９０は、この所定荷重値以上の力が解除されると、弾性変形が元に戻って第１接点部８０との接触が解除され、図２に示したような第１接点部８０から離間された元の状態に戻る。この所定荷重値は、例えば、鉤部６０の重さ程度の力である。
【００２５】
可動部７０は、鉤部６０の内周部６４Ａに対向して設けられ、内周部６４Ａに向かって移動可能になっている。具体的には、可動部７０は、軸部７１と、ジョー部７２と、工具接続部７４とを有する。軸部７１は、内周がおねじとなっている軸状部材である。軸部７１は、底部６６の開口部６６Ａに螺合されて、回転することにより、方向Ｘに沿って移動可能となっている。
【００２６】
ジョー部７２は、軸部７１の先端に設けられており、軸部７１より径が大きい部材である。ジョー部７２は、方向Ｘに沿ったフック部６４と底部６６との間に設けられている。ジョー部７２は、軸部７１の方向Ｘに沿った移動に伴い、フック部６４と底部６６との間を、方向Ｘに沿って移動する。言い換えれば、ジョー部７２は、方向Ｘに沿って内周部６４Ａに対向して設けられ、内周部６４Ａに向かって移動可能となっている。また、上述した第１接点部８０は、方向Ｘに沿った内周部６４Ａとジョー部７２との間に設けられているということができる。同様に、第２接点部９０は、方向Ｘに沿った第１接点部８０とジョー部７２との間に設けられているということができる。また、第２接点部９０は、ジョー部７２との間に、架空電線が配置可能な空間Ｓを形成する。
【００２７】
工具接続部７４は、例えば共用操作棒などの工具の先端部に対し、着脱可能に取り付けられる。工具接続部７４は、ツイストロック式になっており、方向Ｘに沿った下方が開口される筒状の部材である。工具接続部７４は、周面に、共用操作棒の先端部の周面に突設された係止用突起と係合可能なＴ字状の係合溝７５が形成されている。
【００２８】
次に、副短絡器具２０、３０について説明する。副短絡器具３０は、副短絡器具２０と同じ形状であるため、副短絡器具２０についてのみ説明する。図３は、本実施形態に係る副短絡器具を示す模式図である。副短絡器具２０は、鉤部６０ａと可動部７０とを有する。鉤部６０ａは、導電性の鉤状部材であり、接地線４０と電気的に接続される。鉤部６０ａは、側部６２と、フック部６４と、底部６６と、接続端子６８とを有する。鉤部６０ａは、副短絡器具支持部６７と第１接点部８０と第２接点部９０とを有さない以外は、短絡器具１０の鉤部６０と同じ構成である。副短絡器具２０の可動部７０は、短絡器具１０の可動部７０と同じ構成である。すなわち、副短絡器具２０、３０は、鉤部６０ａ及び可動部７０を有しており、副短絡器具支持部６７と第１接点部８０と第２接点部９０とを有していない。言い換えれば、接地短絡器具１は、短絡器具１０と副短絡器具２０、３０とのうち、短絡器具１０のみが、副短絡器具支持部６７と第１接点部８０と第２接点部９０とを有している。
【００２９】
図１に示すように、短絡線１２は、導電線である。短絡線１２は、一方の端部が短絡器具１０の鉤部６０に接続されており、他方の端部が接続部４１に接続されている。短絡線１２は、短絡器具１０のフック部６４を接地線４０に電気的に接続する。また、副短絡線２２、３２も、導電線である。副短絡線２２は、一方の端部が副短絡器具２０の鉤部６０ａに接続されており、他方の端部が接続部４１に接続されている。副短絡線２２は、副短絡器具２０のフック部６４を接地線４０に電気的に接続する。副短絡線３２は、一方の端部が副短絡器具３０の鉤部６０ａに接続されており、他方の端部が接続部４１に接続されている。副短絡線３２は、副短絡器具３０のフック部６４を接地線４０に電気的に接続する。
【００３０】
接地線４０は、導電線である。接地線４０は、一方の端部が接続部４１に接続されており、他方の端部が接地器具４２に接続されている。接地器具４２は、導電性の部材であり、接地された接地導体に接続可能となっている。接地器具４２は、短絡器具１０の鉤部６０、及び副短絡器具２０、３０のそれぞれの鉤部６０ａが架空電線に取付けられている状態で、接地導体に接続されると、架空電線を短絡、接地状態にする。
【００３１】
図１に示すように、表示旗５０は、表面に「接地」という文字が表示されている旗である。すなわち、表示旗５０は、架空電線が、短絡器具１０のフック部６４、及び副短絡器具２０、３０のそれぞれのフック部６４に取付けられている状態であることを示す情報を表示する。言い換えれば、表示旗５０は、架空電線が短絡、接地状態であることを示す情報を表示している。表示旗５０は、紐５１により、接続部４１のカバーに取付けられている。表示旗５０と紐５１とは、導電性を有さない。
【００３２】
電源部５４は、電圧を発生させる電源であり、本実施形態では電池である。電源部５４は、表示旗５０に取付けられている。また、電源部５４は、点灯部５６に接続されている。点灯部５６は、電流が流れることで点灯する。本実施形態では、点灯部５６は、シート状のＬＥＤである。点灯部５６は、表示旗５０に複数取付けられている。複数の点灯部５６は、表示旗５０の上縁部に並んで配置されている。
【００３３】
電源部５４と点灯部５６とは、導電線８２、９２に接続されている。上述のように、導電線８２は第１接点部８０に接続され、導電線９２は第２接点部９０に接続されている。すなわち、電源部５４と点灯部５６と第１接点部８０と第２接点部９０とは、回路を構成する。第１接点部８０と第２接点部９０とが接触しない場合、この回路は開路となり、点灯部５６に電流が流れず、点灯部５６は点灯しない。第１接点部８０と第２接点部９０とが接触した場合、この回路は閉路となり、点灯部５６に電流が流れて、点灯部５６は点灯する。
【００３４】
次に、接地短絡器具１を架空電線に取付ける方法について説明する。本実施形態に係る接地短絡器具１は、三相交流の３本の電線である架空電線（配電線）Ｌ１、Ｌ２、Ｌ３に取付けられる。架空電線Ｌ１は、架空電線Ｌ２、Ｌ３の間に位置している。
【００３５】
図４から図６は、接地短絡器具を架空電線に取付けている状態を示す模式図である。図４は、接地短絡器具１を架空電線Ｌ１に取付けようとしている状態を示している。図５は、接地短絡器具１における短絡器具１０の鉤部６０を、架空電線Ｌ１に取付けた（引っ掛けた）状態を示している。図６は、接地短絡器具１における短絡器具１０を、架空電線Ｌ１に固定した状態を示している。
【００３６】
図４に示すように、接地短絡器具１は、架空電線Ｌ１、Ｌ２、Ｌ３に取付ける際、副短絡器具支持部６７に、副短絡器具２０、３０を取り付ける。具体的には、作業者が、副短絡器具２０の鉤部６０ａの内周部６４Ａを副短絡器具支持部６７に引っ掛けて、可動部７０を方向Ｘに移動させることにより、副短絡器具２０を副短絡器具支持部６７に取付け、固定する。作業者は、副短絡器具２０を取り付けた側と反対側の副短絡器具支持部６７に、同様の方法で、副短絡器具３０を取り付け、固定する。すなわち、接地短絡器具１は、図１に示すように、短絡器具１０の両側に副短絡器具２０、３０を固定した状態で、架空電線に取付けられる。
【００３７】
作業者は、図４に示すように、短絡器具１０の工具接続部７４に、共用操作棒Ａを取り付け、共用操作棒Ａを用いて、架設されている架空電線Ｌ１に、短絡器具１０を近づける。作業者は、架空電線Ｌ１、Ｌ２、Ｌ３に接地短絡器具１を取付ける際、ジョー部７２を底部６６側に位置させておき、鉤部６０の第２接点部９０と可動部７０のジョー部７２との間に、空間Ｓを形成させる。空間Ｓは、その内部に架空電線Ｌ１を入れることが可能な空間である。すなわち、接地短絡器具１は、第２接点部９０とジョー部７２との間が、架空電線Ｌ１を通すことが可能な程度に広げられている。作業者は、鉤部６０の先端部６５Ｂ側から、架空電線Ｌ１に、短絡器具１０を近づけて、架空電線Ｌ１を空間Ｓ内に入れる。
【００３８】
なお、図４のように、架空電線Ｌ１に短絡器具１０を引っ掛ける前の状態では、第２接点部９０に方向Ｘに沿った力が作用しておらず、第２接点部９０は、第１接点部８０と接触していない。従って、この状態では、点灯部５６は点灯しない。
【００３９】
そして、作業者は、図５に示すように、フック部６４の内周部６４Ａを、架空電線Ｌ１に引っ掛ける。より具体的には、作業者は、第２接点部９０の第１接点部８０と反対側の面である下面９０Ｃから、フック部６４の内周部６４Ａを、架空電線Ｌ１に引っ掛ける（取り付ける）。このようにフック部６４を架空電線Ｌ１に引っ掛けた状態で、短絡器具１０と架空電線Ｌ１とは、電気的に接続された状態となる。また、引っ掛けた状態では、第２接点部９０は、フック部６４の内周部６４Ａと架空電線Ｌ１とに挟まれる。これにより、第２接点部９０は、下面９０Ｃから方向Ｘに沿った所定荷重値以上の力を受け、第１接点部８０側に変形し、第１接点部８０に接触する。そして、点灯部５６が点灯する。すなわち、フック部６４を架空電線Ｌ１に引っ掛けると、第２接点部９０が第１接点部８０に接触して、点灯部５６が点灯する。
【００４０】
作業者は、フック部６４を架空電線Ｌ１に引っ掛けた後、共用作業棒を回転させることにより、図６に示すように、ジョー部７２を方向Ｘに沿って移動させる。これにより、架空電線Ｌ１は、フック部６４の内周部６４Ａとジョー部７２とに挟持され、固定される。
【００４１】
作業者は、このようにして短絡器具１０を架空電線Ｌ１に固定した後は、共用操作棒Ａを副短絡器具２０の工具接続部７４に取付けて、副短絡器具２０を副短絡器具支持部６７から取り外す。作業者は、副短絡器具２０のフック部６４を、短絡器具１０と同様の方法で、架空電線Ｌ２に取付ける（引っ掛ける）。フック部６４が架空電線Ｌ２に引っ掛けられると、副短絡器具２０と架空電線Ｌ２とは、電気的に接続される。その後、作業者は、副短絡器具２０のジョー部７２を、方向Ｘに沿って移動させて、短絡器具１０と同様の方法で、副短絡器具２０を架空電線Ｌ２に固定する。その後、作業者は、同様にして、副短絡器具３０を、架空電線Ｌ３に取付け、固定する。なお、副短絡器具２０、３０は、短絡器具１０の後に取付けられれば、互いの取付け順は任意である。
【００４２】
短絡器具１０を架空電線Ｌ１に固定し、副短絡器具２０、３０をそれぞれ架空電線Ｌ２、Ｌ３に固定し、接地器具４２を接地された接地導体に接続することで、接地短絡器具１の架空電線Ｌ１、Ｌ２、Ｌ３への取付けは終了する。これにより、この短絡器具１０が取り付けられた箇所より配電電流の下流側は、停電状態となる。作業者は、この停電状態の箇所で、停電作業を行う。ここで、点灯部５６は、短絡器具１０を架空電線Ｌ１に引っ掛けた状態で、点灯し続ける。すなわち、点灯部５６は、短絡器具１０を架空電線Ｌ１から取り外すまでは点灯しづけるため、作業者は、この点灯部５６を視認することで、接地短絡器具１の架空電線からの取外し忘れを抑制することができる。
【００４３】
停電作業の終了後は、作業者は、取付時と逆の順番で、接地短絡器具１を架空電線Ｌ１、Ｌ２、Ｌ３から取り外す。すなわち、作業者は、副短絡器具３０の可動部７０のジョー部７２を、方向Ｘと反対側に移動させて、副短絡器具３０の架空電線Ｌ３への固定を解除する。そして、作業者は、副短絡器具３０のフック部６４を、架空電線Ｌ３から取り外す。これにより、副短絡器具３０と架空電線Ｌ３とは、電気的に非接続になる。その後、作業者は、副短絡器具３０を副短絡器具支持部６７に再度固定する。その後、作業者は、同様の方法で、副短絡器具２０を架空電線Ｌ２から取り外し、副短絡器具支持部６７に固定する。なお、副短絡器具２０、３０は、短絡器具１０より先に取り外されれば、互いの取外し順は任意である。
【００４４】
作業者は、副短絡器具２０、３０を副短絡器具支持部６７に固定した後、短絡器具１０のジョー部７２を、方向Ｘと反対側に移動させて、短絡器具１０の架空電線Ｌ１への固定を解除する。この状態でも、短絡器具１０のフック部６４は、架空電線Ｌ１に引っ掛けられているため、点灯部５６は点灯し続けている。作業者は、その後、短絡器具１０のフック部６４を、架空電線Ｌ１から取り外す。これにより、短絡器具１０と架空電線Ｌ１とは、電気的に非接続になる。また、フック部６４を架空電線Ｌ１から取り外すと、第２接点部９０への力が解除されて第２接点部９０の変形が戻り、第２接点部９０は、第１接点部８０と接触しなくなる。従って、点灯部５６が消灯する。これにより、接地短絡器具１の架空電線からの取外しが終了する。
【００４５】
以上説明した接地短絡器具１の架空電線への取付け、取外しのフローを、フローチャートを用いて説明する。図７は、接地短絡器具の架空電線への取付けフローを説明するフローチャートである。図７に示すように、接地短絡器具１を架空電線Ｌ１、Ｌ２、Ｌ３に取付ける際、作業者は、最初に、短絡器具１０のフック部６４を、架空電線Ｌ１に取付ける（ステップＳ１０；取付けステップ）。具体的には、作業者は、第２接点部９０の第１接点部８０と反対側の面である下面９０Ｃから、フック部６４の内周部６４Ａに、架空電線Ｌ１を引っ掛ける。
【００４６】
短絡器具１０のフック部６４を、架空電線Ｌ１に取付けられると、接地短絡器具１は、第２接点部９０が変形して、短絡器具１０の第１接点部８０と第２接点部９０とが接触し
（ステップＳ１２）、点灯部５６が点灯する（ステップＳ１４）。点灯部５６が点灯した後、作業者は、短絡器具１０のジョー部７２を移動させて、短絡器具１０を架空電線Ｌ１に固定する（ステップＳ１６；固定ステップ）。具体的には、作業者は、ジョー部７２を方向Ｘに沿って移動させ、フック部６４の内周部６４Ａとジョー部７２とで架空電線Ｌ１を挟持することで、短絡器具１０を架空電線Ｌ１に固定する。
【００４７】
短絡器具１０を架空電線Ｌ１に固定した後、作業者は、副短絡器具２０を短絡器具１０の副短絡器具支持部６７から取り外し（ステップＳ１８）、副短絡器具２０のフック部６４を架空電線Ｌ２に取付け（ステップＳ２０）、副短絡器具２０のジョー部７２を移動させて、副短絡器具２０を架空電線Ｌ２に固定する（ステップＳ２２）。その後、作業者は、副短絡器具３０についても、ステップＳ１８からステップＳ２２と同様の処理を行って、副短絡器具３０を架空電線Ｌ３に固定する。これにより、接地短絡器具１の架空電線への取付けが終了する。
【００４８】
作業者は、第１接点部８０及び第２接点部９０を有する短絡器具１０を、副短絡器具２０、３０よりも先に架空電線Ｌ１に取付ける。従って、接地短絡器具１は、最初に短絡させた際に、点灯部５６が点灯する。そのため、作業者は、架空電線が短絡、接地していることを、より確実に確認することができる。
【００４９】
図８は、接地短絡器具の架空電線からの取外しフローを説明するフローチャートである。図８に示すように、作業者は、最初に、副短絡器具３０の可動部７０を移動させて、副短絡器具３０の架空電線Ｌ３への固定を解除し（ステップＳ３０）、副短絡器具３０を架空電線Ｌ３から取り外し（ステップＳ３２）、副短絡器具３０を短絡器具１０の副短絡器具支持部６７に取付ける（ステップＳ３４）。作業者は、副短絡器具２０についても、ステップＳ３０からステップＳ３４と同様の処理を行って、副短絡器具２０を架空電線Ｌ２から取り外し、短絡器具１０の副短絡器具支持部６７に取付ける。
【００５０】
副短絡器具２０、３０を短絡器具１０の副短絡器具支持部６７に取付けた後、作業者は、短絡器具１０の可動部７０を移動させて、短絡器具１０の架空電線Ｌ１への固定を解除し（ステップＳ３６）、短絡器具１０を架空電線Ｌ１から取り外す（ステップＳ３８）。短絡器具１０が架空電線Ｌ１から取り外されると、接地短絡器具１は、第２接点部９０の変形が元に戻り、第１接点部８０と第２接点部９０との接触が解除されて（ステップＳ４０）、点灯部５６が消灯する（ステップＳ４２）。これにより、接地短絡器具１の架空電線からの取外しが終了する。
【００５１】
作業者は、第１接点部８０及び第２接点部９０を有する短絡器具１０を、副短絡器具２０、３０よりも後に架空電線Ｌ１から取り外す。従って、接地短絡器具１は、全ての架空電線の短絡を解除した際に、点灯部５６が消灯する。そのため、作業者は、架空電線が短絡、接地していることを、より確実に確認することができる。 
【００５２】
以上説明したように、本実施形態に係る接地短絡器具１は、短絡器具１０と接地線４０と点灯部５６とを有する。短絡器具１０は、フック部６４と、ジョー部７２と、第１接点部８０と、第２接点部９０とを有する。フック部６４は、導電性の鉤状部材であり、接地線４０に電気的に接続される。ジョー部７２は、フック部６４の内周側の面である内周部６４Ａと対向して設けられ、内周部６４Ａに向かって（方向Ｘに向かって）移動可能となっている。第１接点部８０は、ジョー部７２と内周部６４Ａとの間に設けられる。第２接点部９０は、ジョー部７２と第１接点部８０との間に設けられ、ジョー部７２との間に架空電線が配置可能な空間Ｓを形成する。第２接点部９０は、第１接点部８０に向かう方向（方向Ｘ）に所定荷重値以上の荷重を受けると、第１接点部８０側に変形して第１接点部８０に接触する。第２接点部９０は、その所定荷重値以上の荷重が解除されると、第１接点部８０との接触が解除される。点灯部５６は、第１接点部８０と第２接点部９０とが接触した際に点灯する。
【００５３】
この接地短絡器具１は、第２接点部９０とジョー部７２との間の空間Ｓに架空電線Ｌ１を入れて、第２接点部９０の第１接点部８０と反対側の面である下面９０Ｃから、フック部６４の内周部６４Ａを、架空電線Ｌ１に引っ掛けることができる。これにより、第２接点部９０には、方向Ｘに所定荷重以上の力が加えられるため、第２接点部９０は、第１接点部８０と接触し、点灯部５６が点灯する。すなわち、接地短絡器具１は、フック部６４が架空電線Ｌ１に引っ掛けられると、点灯部５６が点灯する。従って、作業者は、例えば夜間の作業時にも、フック部６４が架空電線Ｌ１に引っ掛けられている、すなわち架空電線Ｌ１が短絡、接地していることを容易に視認することが可能となる。従って、この接地短絡器具１によると、作業者は、接地短絡器具１の取外しを忘れることを抑制することができる。
【００５４】
なお、接地短絡器具１は、ジョー部７２によって架空電線Ｌ１に固定されていなくても、フック部６４が架空電線Ｌ１に引っ掛けられている状態で、架空電線Ｌ１に対して電気的に接続状態になっている。この接地短絡器具１は、架空電線Ｌ１に引っ掛けられる際に、第１接点部８０と第２接点部９０とが、架空電線Ｌ１の方向Ｘの上側に位置する。従って、この接地短絡器具１によると、ジョー部７２によって架空電線Ｌ１に固定されていなくても、フック部６４が架空電線Ｌ１に引っ掛けられるだけで、点灯部５６が点灯する。従って、この接地短絡器具１によると、例えばジョー部７２が緩んだり、作業者がジョー部７２による固定を忘れたりした場合であっても、接地短絡器具１の取外しを忘れることを、より好適に抑制することができる。
【００５５】
接地短絡器具１は、さらに、架空電線Ｌ１がフック部６４に取付けられている状態であることを示す情報を表示する表示旗５０を更に有する。点灯部５６は、この表示旗５０に複数取り付けられる。架空電線に接地短絡器具１を取り付けて、架空電線を短絡、接地している際は、このような表示旗５０を接地短絡器具１に付けておくことが義務付けられている。表示旗５０は、例えば接続部４１など、鉛直方向における高い位置に取付けられる。この接地短絡器具１は、この表示旗５０に点灯部５６が複数取り付けられることで、点灯部５６の視認性を向上させることができる。従って、この接地短絡器具１によると、作業者は、接地短絡器具１の取外しを忘れることをより好適に抑制することができる。
【００５６】
接地短絡器具１は、さらに、短絡線１２と、副短絡器具２０、３０と、副短絡線２２、３２と、を有する。短絡線１２は、短絡器具１０のフック部６４を接地線４０に電気的に接続する。副短絡器具２０、３０は、それぞれフック部６４とジョー部７２とを有し、第１接点部８０と第２接点部９０とを有さない。副短絡線２２、３２は、副短絡器具２０、３０のフック部６４を接地線４０に電気的に接続する。この接地短絡器具１は、第１接点部８０と第２接点部９０とを有さない副短絡器具２０、３０を有する。この接地短絡器具１は、短絡器具１０に加え、副短絡器具２０、３０を有するため、配電線が複数あった場合でも、適切に短絡、接地を行うことができる。さらに、副短絡器具２０、３０は、第１接点部８０と第２接点部９０とを有さない。従って、接地短絡器具１は、副短絡器具２０、３０が架空電線に取付けられなくても、短絡器具１０が架空電線に取付けられるだけで、点灯部５６が点灯する。そのため、作業者は、架空電線が短絡、接地していることを、より適切に確認することができる。なお、本実施形態では、副短絡器具は２つであったが、その数は、架空電線の数に合わせて、適宜設定することができる。
【００５７】
また、短絡器具１０は、副短絡器具支持部６７を有する。副短絡器具支持部６７は、副短絡器具２０、３０のフック部６４とジョー部７２とで挟持されることで、副短絡器具２０、３０を支持する。この接地短絡器具１によると、作業者は、短絡器具１０で副短絡器具２０、３０を固定して取り付け作業を行うことが可能となるため、取付作業を容易に行うことが可能となる。また、作業者は、短絡器具１０が副短絡器具２０、３０を支持しているため、短絡器具１０を、最初に架空電線Ｌ１に取付け易くなる。最初に短絡器具１０が架空電線Ｌ１に取付けられると、点灯部５６は、最初に短絡させた際に、点灯することになる。そのため、作業者は、架空電線が短絡、接地していることを、より確実に確認することができる。
【００５８】
また、接地短絡器具１を架空電線に取付ける取付方法は、取付ステップと固定ステップとを有する。取付ステップは、架空電線Ｌ１に、第２接点部９０の第１接点部８０と反対側の下面９０Ｃから、フック部６４の内周部６４Ａを引っ掛ける。固定ステップは、ジョー部７２を内周部６４Ａに向かって移動させて架空電線Ｌ１をフック部６４とジョー部７２とで挟持して、接地短絡器具１を架空電線Ｌ１に固定する。この取付方法によると、取付ステップにおいて、第１接点部８０と第２接点部９０とが接触し、点灯部５６が点灯する。従って、この取付方法によると、接地短絡器具１の取外しを忘れることを抑制することができる。
【００５９】
以上、本発明の実施形態について説明したが、これら実施形態の内容によりこの発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００６０】
１  接地短絡器具
１０  短絡器具
１２  短絡線
２０、３０  副短絡器具
２２、３２  副短絡線
４０  接地線
４１  接続部
４２  接地器具
５０  表示旗
５４  電源部
５６  点灯部
６０、６０ａ  鉤部
６２  側部
６４  フック部
６４Ａ  内周部
６６  底部
６７  副短絡器具支持部
６８  接続端子
７０  可動部
７２  ジョー部
８０  第１接点部
９０  第２接点部
Ｌ１、Ｌ２、Ｌ３  架空電線
【図１】
2017184403.tif 000003
【図２】
2017184403.tif 000004
【図３】
2017184403.tif 000005
【図４】
2017184403.tif 000006
【図５】
2017184403.tif 000007
【図６】
2017184403.tif 000008
【図７】
2017184403.tif 000009
【図８】
2017184403.tif 000010